(57)【要約】記録媒体のような取り外し可能な書き換え可能ディスクにディジタル情報信号を記録するための記録装置について提供している。記録装置は、ディジタル情報信号を記録するための記録手段（２１、２２、２５）とその記録を制御するための制御手段（２０）とを有する。記録装置は、書き換え可能ディスクの初期化、フォーマット及び欠陥管理を実行することができる。更に、記録装置は、ユーザ領域（ＵＡ）に第１ファイルシステムデータを、媒体の一般アプリケーション領域（ＧＡＡ）に第２ファイルシステムデータを記憶することができる。制御手段（２０）は、ＧＡＡを拡張し、ＧＡＡに第２ファイルシステムデータを記憶するように適合される。これにより、第２ファイルシステムデータによりアドレス指定されることができるＵＡにおけるファイル数を増加することができる。
2007528090.tif 000002
【特許請求の範囲】
【請求項１】
記録媒体のような取り外し可能な書き換え可能ディスクにディジタル情報信号を記録するための記録装置であって、前記記録媒体は：
前記ディジタル情報信号により表されるユーザデータを記録するため及び第１ファイルシステムのルールに従って前記ユーザデータを示すファイルエントリとディレクトリとを有する第１ファイルシステムデータを記録するためのユーザ領域；
欠陥管理のための置き換え領域を有する前記ユーザ領域の外側の予備領域；
前記ユーザ領域における前記置き換え領域と欠陥領域のアドレスのリストを有する欠陥テーブルを記録するための前記ユーザ領域の外側のテーブル領域；並びに
第２ファイルシステムのルールに従って前記ユーザデータを示すファイルエントリとディレクトリとを有する第２ファイルシステムデータを記録するための前記予備領域の外側及び前記ユーザ領域の外側の一般アプリケーション領域；
を有する記録装置であり、
前記ディジタル情報信号を受信するための入力手段；
前記記録媒体に前記ディジタル情報信号を記録するための記録手段；
前記記録媒体に記録されたディジタル情報信号を読み出すための読み出し手段；
前記の読み出されたディジタル情報信号を出力するための出力手段；並びに
前記ディジタル情報信号の記録を制御するための制御手段；
を有する記録装置であり、
前記制御手段は、前記欠陥テーブルにおいて使用できないとして前記記録媒体の一部をマーキングするように及び使用できないとしてマーキングされた前記記録媒体の一部に前記第２ファイルシステムデータを記録するように適合されている；
ことを特徴とする記録装置。
【請求項２】
請求項１に記載の記録装置であって、前記制御手段は、前記欠陥テーブルにおいて使用できないとして前記予備領域の少なくとも一部をマーキングし、そして使用できないとしてマーキングされた前記予備領域の前記の少なくとも一部に前記第２ファイルシステムデータを記録するように適合されている、ことを特徴とする記録装置。
【請求項３】
請求項２に記載の記録装置であって、前記制御手段は、記録されたユーザデータを有する置き換え領域の置き換え領域アドレスについて前記欠陥テーブルを検索し、前記置き換え領域アドレスに従って前記置き換え領域を局所化し、前記ユーザデータなしで自由置き換え領域の自由置き換え領域アドレスについて前記欠陥テーブルを検索し、前記自由置き換え領域アドレスに従って前記自由置き換え領域を局所化し、前記置き換え領域からの前記の記録されたユーザデータを読み出し、前記自由置き換え領域において前記置き換え領域から読み出された前記ユーザデータを記録し、そして前記欠陥テーブルにおいて使用できないとして前記置き換え領域をマーキングするように適合されている、ことを特徴とする記録装置。
【請求項４】
請求項１に記載の記録装置であって、前記制御手段は、前記欠陥テーブルにおいて使用できないとして前記ユーザ領域の一部をマーキングし、そして使用できないとしてマーキングされた前記ユーザ領域の一部において前記第２ファイルシステムデータを記録するように適合されている、ことを特徴とする記録装置。
【請求項５】
請求項４に記載の記録装置であって、前記制御手段は、前記ユーザデータなしで自由置き換え領域のジ湯置き換え領域アドレスについて前記欠陥テーブルを検索し、前記自由置き換え領域アドレスに従って前記自由置き換え領域を局所化し、前記ユーザ領域の前記一部から記録されたユーザデータを読み出し、前記自由置き換え領域において前記ユーザ領域の前記一部から読み出された前記ユーザデータを記録し、そして前記欠陥テーブルにおいて使用できないとして前記ユーザ領域の前記一部をマーキングするように適合されている、ことを特徴とする記録装置。
【請求項６】
請求項１に記載の記録装置であって、前記制御手段は、前記第１ファイルシステムデータ又は前記第２ファイルシステムデータの変化に関連する変化情報を収集し、そして前記変化情報に依存して前記第１ファイルシステムデータ又は前記第２ファイルシステムデータを修正するように適合されている、ことを特徴とする記録装置。
【請求項７】
請求項６に記載の装置であって、前記制御手段は、前記記録媒体において前記変化情報を記録するように適合されている、ことを特徴とする記録装置。
【請求項８】
請求項１に記載の装置であって、前記制御手段は、前記欠陥テーブルの変化に関連する状態情報を収集し、そして前記状態情報に依存して前記第２ファイルシステムデータを修正するように適合されている、ことを特徴とする記録装置。
【請求項９】
請求項８に記載の装置であって、前記制御手段は、前記記録媒体に前記状態情報を記録するように適合されている、ことを特徴とする記録装置。
【請求項１０】
記録媒体のような取り外し可能な書き換え可能ディスクにディジタル情報信号を記録する方法であって、前記記録媒体は：
前記ディジタル情報信号により表されるユーザデータを記録するため及び第１ファイルシステムのルールに従って前記ユーザデータを示すファイルエントリとディレクトリとを有する第１ファイルシステムデータを記録するためのユーザ領域；
欠陥管理のための置き換え領域を有する前記ユーザ領域の外側の予備領域；
前記ユーザ領域における前記置き換え領域と欠陥領域のアドレスのリストを有する欠陥テーブルを記録するための前記ユーザ領域の外側のテーブル領域；並びに
第２ファイルシステムのルールに従って前記ユーザデータを示すファイルエントリとディレクトリとを有する第２ファイルシステムデータを記録するための前記予備領域の外側及び前記ユーザ領域の外側の一般アプリケーション領域；
を有する、方法であり、
前記欠陥テーブルにおいて使用できないとして前記媒体の一部をマーキングし；
使用できないとしてマーキングされた前記記録媒体の前記一部に前記第２ファイルシステムデータを記録する；
ことを特徴とする方法。
【請求項１１】
請求項１０に記載の方法であって、前記記録媒体の前記一部は前記予備領域の少なくとも一部を有する、ことを特徴とする方法。
【請求項１２】
請求項１１に記載の方法であって：
記録されたユーザデータを有する置き換え領域の置き換え領域アドレスについて前記欠陥テーブルを検索する段階；
前記置き換え領域アドレスに従って前記置き換え領域を局所化する段階；
前記ユーザデータなしで自由置き換え領域の自由置き換え領域アドレスについて前記欠陥テーブルを検索する段階；
前記自由置き換え領域アドレスに従って前記自由置き換え領域を局所化する段階；
前記置き換え領域からの前記の記録されたユーザデータを読み出す段階；
前記自由置き換え領域において前記置き換え領域から読み出された前記ユーザデータを記録する段階；及び
前記欠陥テーブルにおいて使用できないとして前記置き換え領域をマーキングする段階；
を有する、ことを特徴とする方法。
【請求項１３】
請求項１０に記載の方法であって、前記記録媒体の前記一部は前記ユーザ領域の一部を有する、ことを特徴とする方法。
【請求項１４】
請求項１３に記載の方法であって：
前記ユーザデータなしで自由置き換え領域の自由置き換え領域アドレスについて前記欠陥テーブルを検索する段階；
前記置き換え領域アドレスに従って前記自由置き換え領域を局所化する段階；
前記ユーザ領域の前記一部から記録されたユーザデータを読み出す段階；
前記自由置き換え領域において前記ユーザ領域の前記一部から読み出された前記ユーザデータを記録する段階；及び
前記欠陥テーブルにおいて使用できないとして前記ユーザ領域の前記一部をマーキングする段階；
を有する、ことを特徴とする方法。
【請求項１５】
請求項１０に記載の方法であって：
前記第１ファイルシステムデータ又は前記第２ファイルシステムデータの変化に関連する変化情報を収集し；及び
前記変化情報に依存して前記第１ファイルシステムデータ又は前記第２ファイルシステムデータを修正する；
ことを特徴とする方法。
【請求項１６】
請求項１５に記載の方法であって、前記記録媒体に前記変化情報を記録する、ことを特徴とする方法。
【請求項１７】
請求項１０に記載の方法であって：
前記欠陥テーブルの変化に関連する状態情報を収集し；及び
前記状態情報に依存して前記第２ファイルシステムデータを修正する；
ことを特徴とする方法。
【請求項１８】
請求項１７に記載の方法であって、前記記録媒体に前記状態情報を記録する、ことを特徴とする方法。
【請求項１９】
記録媒体のような取り外し可能な書き換え可能ディスクにディジタル情報信号を記録するための記録装置に接続されたコンピュータを有するコンピュータデータシステムであって、前記記録媒体は：
前記ディジタル情報信号により表されるユーザデータを記録するため及び第１ファイルシステムのルールに従って前記ユーザデータを示すファイルエントリとディレクトリとを有する第１ファイルシステムデータを記録するためのユーザ領域；
欠陥管理のための置き換え領域を有する前記ユーザ領域の外側の予備領域；
前記ユーザ領域における前記置き換え領域と欠陥領域のアドレスのリストを有する欠陥テーブルを記録するための前記ユーザ領域の外側のテーブル領域；並びに
第２ファイルシステムのルールに従って前記ユーザデータを示すファイルエントリとディレクトリとを有する第２ファイルシステムデータを記録するための前記予備領域の外側及び前記ユーザ領域の外側の一般アプリケーション領域；
を有する、コンピュータデータシステムであり、前記記録装置は：
前記ディジタル情報信号を受信するために前記コンピュータに接続された入力手段；
前記記録媒体に前記ディジタル情報信号を記録するための記録手段；
前記記録媒体に記録されたディジタル情報信号を読み出すための読み出し手段；
前記コンピュータに前記の読み出されたディジタル情報信号を出力するための出力手段；並びに
前記ディジタル情報信号の記録を制御するための制御手段；
を有する、コンピュータデータシステムであり、
前記コンピュータは、請求項１０乃至１８の何れ一項に従った方法を実行するために前記記録装置の前記制御手段を制御するように適合されている；
ことを特徴とするコンピュータデータシステム。
【請求項２０】
記録媒体のような取り外し可能な書き換え可能ディスクにディジタル情報信号を記録するためのコンピュータプログラムであって、該コンピュータプログラムは、処理器が請求項１０乃至１８の何れ一項に従った方法を実行するようにするように動作可能である、ことを特徴とするコンピュータプログラム。
【発明の詳細な説明】
【技術分野】
【０００１】
本発明は、記録媒体のような取り外し可能な書き変え可能ディスクにディジタル情報信号を記録するための記録装置であって、記録媒体は、第１ファイルシステムのルールに従ってユーザデータを示すファイルエントリとディレクトリとを有する第１ファイルシステムデータを記録するため及びディジタル情報信号により表されるユーザデータを記録するためのユーザ領域と、ユーザ領域において欠陥領域及び置き換え領域のアドレスリストを有する欠陥テーブルを記録するためのユーザ領域の外側のテーブル領域と、第２ファイルシステムのルールに従ってユーザデータを示すファイルエントリ及びディレクトリを有する第２ファイルシステムデータを記録するための予備データの外側及びユーザ領域の外側の一般アプリケーション領域と、を有し、記録装置は：
−  ディジタル情報信号を記録するための入力手段と；
−  記録媒体にディジタル情報信号を記録するための記録手段と；
−  記録媒体に記録された記録ディジタル情報信号を読み出すための読み出し手段と；
−  読み出しディジタル情報信号を出力するための出力手段と；
−  ディジタル情報信号の記録を制御するための制御手段と；
を有する、記録装置に関する。
【０００２】
本発明は、記録媒体のような取り外し可能且つ書き変え可能ディスクにディジタル情報信号を記録する方法であって、記録媒体は、第１ファイルシステムのルールに従ってユーザデータを示すファイルエントリとディレクトリとを有する第１ファイルシステムデータを記録するため及びディジタル情報信号により表されるユーザデータを記録するためのユーザ領域と、ユーザ領域において欠陥領域及び置き換え領域のアドレスリストを有する欠陥テーブルを記録するためのユーザ領域の外側のテーブル領域と、第２ファイルシステムのルールに従ってユーザデータを示すファイルエントリ及びディレクトリを有する第２ファイルシステムデータを記録するための予備データの外側及びユーザ領域の外側の一般アプリケーション領域と、を有する、方法に関する。
【０００３】
本発明は又、記録媒体のような取り外し可能且つ書き変え可能ディスクにディジタル情報信号を記録するための記録装置に接続されているコンピュータを有するコンピュータデータシステムであって、記録媒体は、第１ファイルシステムのルールに従ってユーザデータを示すファイルエントリとディレクトリとを有する第１ファイルシステムデータを記録するため及びディジタル情報信号により表されるユーザデータを記録するためのユーザ領域と、ユーザ領域において欠陥領域及び置き換え領域のアドレスリストを有する欠陥テーブルを記録するためのユーザ領域の外側のテーブル領域と、第２ファイルシステムのルールに従ってユーザデータを示すファイルエントリ及びディレクトリを有する第２ファイルシステムデータを記録するための予備データの外側及びユーザ領域の外側の一般アプリケーション領域と、を有し、記録装置は：
−  ディジタル情報信号を記録するための入力手段と；
−  記録媒体にディジタル情報信号を記録するための記録手段と；
−  記録媒体に記録された記録ディジタル情報信号を読み出すための読み出し手段と；
−  読み出しディジタル情報信号を出力するための出力手段と；
−  ディジタル情報信号の記録を制御するための制御手段と；
を有する、コンピュータデータシステムに関する。
【０００４】
本発明は、更に、記録媒体のような取り外し可能且つ書き変え可能ディスクにディジタル情報信号を記録するためのコンピュータプログラムプロダクトに関する。
【背景技術】
【０００５】
光ディスク（ＤＶＤ＋ＲＷ、ブルーレイ等）のような記録媒体は大量の異なる種類のデータを記憶することができる。それらの記録媒体は、記録媒体におけるデータの組織に関する特定の要求を有する異なる環境下で用いられることができる。典型的には、データは、特定のファイルシステムのルールに従ってファイルに組織化される。そのようなファイルシステムはそのシステム自体のファイルシステムデータを有し、そのファイルシステムデータは、記録媒体に記憶されているデータに関連する全ての種類の構造に関する情報を有する。特に、ファイルシステムデータは、論理ボリューム及び／又は物理ボリュームの構造を表すボリューム構造と、データを有するファイルの構造を表すファイル構造と、ファイルのグループ化を表すディレクトリ構造と、記録媒体にデータを記憶するための割り当て空間又は非割り当て空間を表す空間ビットマップとを有することが可能である。ファイルシステムデータは、ファイルシステムの管理領域における記録媒体に記憶される。記録媒体はデータを記憶するためのアドレス可能記録ユニットを有することが可能である。ファイルシステムのレベルにおいて、それらのアドレス可能記録ユニットはアドレス空間を規定する論理アドレスを用いて参照される。記録媒体のパーティション化は、ファイルシステムの（ルールに従った）制御下でデータを記憶するための媒体において空間を割り当てる。
【０００６】
現在、例えば、ＤＶＤ＋ＲＷディスクは、パーソナルコンピュータ環境下及びコンシューマエレクトロニクス（ＣＥ）装置で用いられている。ＣＥ環境下で、ＤＶＤ＋ＲＷディスクは、ＤＶＤビデオレコーディング（ＤＶＤ＋ＶＲ）のような特定のフォーマットに従ってディジタルビデオ情報を記録するための主に用いられている。このことは、規定された特定の割り当てルールと、ビデオ情報自体及び、例えば、タイトル情報、メニュー構造等のビデオ情報に関する情報を有するファイルの集合とが存在することを意味する。例えば、ＤＶＤ＋ＶＲフォーマットにおいて、一部の（ファイルシステム）ポインタは固定されたアドレス位置に位置付けられ、又、特定のファイルは固定されたアドレスから開始する。それに続いて、所定のファイルリストは特定の順序で媒体に物理的に存在する必要がある。
【０００７】
ＰＣ環境は異なる理念に基づいている。原理的に、割り当て要求はない。特定の割り当ては特定のディレクトリにおいて存在する一部のファイルを要求することが可能であり、特定のアプリケーションは、典型的には、ファイルから情報を検索するため又はファイルに情報を記憶するためにそのアプリケーション自体のデータフォーマットを有することとなる。このことは、媒体において利用可能な自由空間が存在する限り、異なるアプリケーションの種類全てからその媒体にデータファイルを加えることが可能であることを意味する。例として、単一のディスクにおいて、互いに全て混合されるマルチメディアファイル、テキストファイル及び実行可能ファイルを有することが可能である。
【０００８】
近年、ビデオプレーヤ／レコーダのような非常に多くのＣＥ装置は、それらが処理することができる特定の種類のファイルのためのディスクにおけるファイルシステム情報により検索するための能力を有している。この例は、（主に）ＪＰＥＧファイル、又、更には、ＭＰ３ファイルである。将来、可能性のある更なる種類のマルチメディアファイルがＣＥ業界において支援されるであろう。それに続いて又、メタデータにおける新しい基準（例えば、ＭＰＶ又はＨｉｇｈＭＡＴ）が、ＰＤ及びホームエレクトロニクス装置においてディジタルコンテンツを移動させることが容易となるように考案され、設計されることとなる。
【０００９】
国際公開第０１／２２４１６Ａ１号パンフレットにおいて、ＣＤ−ＲＷディスク等の書き換え可能媒体の初期化、フォーマット化及び欠陥管理を実行することができる記録装置について開示されている。これは、高性能のフロッピー（登録商標）ディスクのようなＣＤ−ＲＷの使用を容易にし、それ故、即座のファイルの書き込み又は読み出しが可能であるようになされる。そのような媒体は、一般に、例えば、ＣＤ−ＭＲＷ、ＤＶＤ−ＭＲＷ等のＭｏｕｎｔ  Ｒａｉｎｉｅｒ  ＲｅＷｒｉｔａｂｌｅ（ＭＲＷ）媒体と呼ばれている。
【００１０】
更に、前記記録装置は、所謂“ブリッジメディア”と呼ばれる１つの記録媒体に異なるファイルシステムのファイルシステムデータを記憶することを可能にする。このことは、例えば、ＣＥ環境及びＰＣ環境等の異なる環境間のブリッジメディアの共有を容易にする。一般アプリケーション領域（ＧＡＡ）と呼ばれる記録媒体の特定の一部は、国際公開第０１／２２４１６Ａ１号パンフレットにおいて規定されている欠陥管理を実行することができない他の装置により用いられるファイルシステムのファイルシステムデータを記憶するために割り当てられる。ＤＶＤ＋ＭＲＷ媒体の場合、ＧＡＡはサイズが２Ｍバイトである。これは、ＧＡＡにおけるファイルシステムデータが示すことができるファイル数を制限する。例えば、ＵＤＦファイルシステムデータにおける１つのファイルエントリは２ｋバイトを占め、それ故、そのファイル数は約１０００個に制限さえる。典型的なＣＥシステムの媒体に関するコンテンツレイアウトルールは付加ファイル（ＤＶＤ＋ＶＲフォーマットの場合におけるような）を必要とすることが可能である。
【発明の開示】
【発明が解決しようとする課題】
【００１１】
本発明の目的は、上記の制限を克服することであり、一般に、異なる環境間で媒体の交換可能性を改善することである。
【課題を解決するための手段】
【００１２】
この目的は、冒頭の段落で説明したタイプの記録装置により、本発明の第１特徴に従って達成され、制御手段は、欠陥テーブルにおいて使用できない媒体の一部をマーキングし、使用できないようにマーキングされた媒体の一部に第２ファイルシステムデータを記録するように適合されるように特徴付けられている。このことは、ファイル数であって、第１ファイルシステムデータ及び欠陥管理との不一致を回避しつつ、第２ファイルシステムデータによりアドレス指定されることができるファイル数を増加させることができる。
【００１３】
記録装置の実施形態においては、制御手段は、欠陥テーブルにおいて使用できない空間領域の少なくとも一部にマーキングし、使用できないマーキングされた空間領域の少なくとも一部に第２ファイルシステムデータを記録するように適合されている。この実施形態は、第２ファイルシステムデータの記憶がユーザ領域に影響しない点で有利である。
【００１４】
記録装置の更なる実施形態においては、制御手段は、記録されたユーザデータを有する置き換え領域の置き換え領域アドレスのための欠陥テーブルを検索し、ユーザデータを有しない自由置き換え領域の自由置き換え領域アドレスのための欠陥テーブルを検索し、自由置き換え領域アドレスに従って自由置き換え領域を局所化し、置き換え領域から記録されたユーザデータを読み出し、自由置き換え領域において置き換え領域から読み出されたユーザデータを記録し、そして欠陥テーブルにおいて使用できない置き換え領域をマーキングするように適合されている。
【００１５】
他の記録装置の実施形態においては、制御手段は媒体の一部をマーキングし且つ割り当てるように適合され、その媒体の一部はユーザ領域の一部を有する。これは、第２ファイルシステムデータのための記憶空間を非常に増加させる可能性を提供する点で有利である。
【００１６】
制御手段が、ユーザデータを有しないで自由置き換え領域の自由置き換え領域アドレスのための欠陥テーブルを検索し、自由置き換え領域アドレスに従って自由置き換え領域を局所化し、ユーザ領域の一部から記録されているユーザデータを読み出し、自由置き換え領域におけるユーザ領域の一部から読み出されたユーザデータを記録し、欠陥テーブルにおいて使用できないユーザ領域の一部をマーキングするように適合されている場合、本発明は有利である。これは、第２ファイルシステムデータを記録しながら、ユーザ領域に記録されたユーザでエータが消去されないようにする。
【００１７】
記録装置の他の実施形態は、制御手段が、第２ファイルシステムデータの第１ファイルシステムデータの変化に関連する変化情報を補正し、それらの変化情報に依存して第１ファイルシステムデータ又は第２ファイルシステムデータを修正するように適合されている。これは、異なるファイルシステムデータが同期されることを確実にする。
【００１８】
記録装置の他の実施形態においては、制御手段は、媒体に変化情報を記録するように適合されている。この実施形態は、特に、装置間の媒体を移動しながら、変化情報へのアクセスを改善する点で有利である。
【００１９】
欠陥テーブルの変化に関連する状態情報を修正し、状態情報に依存して第２ファイルシステムデータを修正するように適合されている場合、本発明は有利である。これは、欠陥管理により取られる動作からもたらされる変化の後、第２ファイルシステムデータに含まれるファイルエントリがユーザデータへの補正リンクを有することを確実にする。
【００２０】
本発明の第２特徴に従って、冒頭の段落で説明した種類のディジタル情報信号を記録する方法は：
−  欠陥テーブルにおいて使用できない媒体の一部にマーキングする段階と；
−  第２ファイルシステムデータを記録するために媒体の一部を割り当てる段階と；
により特徴付けられる。
【００２１】
本発明の第３特徴に従って、冒頭の段落で説明した種類のコンピュータデータシステムが提供され、コンピュータは、本発明の第２特徴に関連して説明した方法を実行するための記録装置の制御手段を制御するように適合されている。
【００２２】
本発明の第４実施形態に従って、ディジタル情報信号を記録するためのコンピュータプログラムプロダクトが提供され、そのプログラムは、処理器が本発明の第２特徴に関連して説明した方法を実行するように動作可能である。
【００２３】
本発明の上記の及び他の特徴については、以下、添付図面を参照して詳述する実施形態を更に参照することにより明らかになり、理解されるであろう。
【００２４】
異なる図において対応する要素は同じ参照番号を有する。
【発明を実施するための最良の形態】
【００２５】
図１ａは、トラック９と中心孔１０とを有する記録担体１１の実施例を示している。ディジタル情報信号（データ）を表す一連の記録されたマークの場所であるトラック９は、情報層において実質的に平行なトラックを有する螺旋パターンの回転に従って配列されている。光ディスクと呼ばれる記録媒体は任意に読み出し可能であり、記録可能な種類の情報層を有している。読み出し可能ディスクの例としては、ＣＤ−ＲＷ、ＤＶＤ＋ＲＷのようなＤＶＤの書き込み可能バージョン及びブルーレイディスク（ＢＤ）と呼ばれるブルーレーザを使用している高密度書き込み可能光ディスクがある。ディジタル情報信号（データ）は、例えば、位相変化材料における結晶性又は非晶質性マーク等の、トラックに沿った光学的に検出可能なマークを記録することにより情報層に表される。読み出し可能な種類の記録担体におけるトラック９は、ブランクの記録媒体の製造中に与えられるプリエンボスされたトラック構造により示される。そのトラック構造は、例えば、スキャン中に読み出し／書き込みヘッドがトラックに従うことが可能であるプリグルーブ１４により成る。そのトラック構造は、通常、情報ブロック又はパケットと呼ばれる、情報の単位の位置を示すための場所情報であって、例えば、アドレスを有する。
【００２６】
図１ｂは、記録可能な種類の記録担体１１のラインｂ−ｂに沿ってとられた断面であり、その記録担体において、透明基板１５は記録層１６と保護層１７とを備えている。保護層１７は、例えば、記録層が０．６ｍｍの厚さの基板にあり、更に、その背面側に０．６ｍｍの厚さの基板が接着されているＤＶＤにおいて、更なる基板層を有することが可能である。プリグルーブ１４は、基板１５の材料の凹部又は凸部として、又はその周囲からずれた材料特性として実施されることが可能である。
【００２７】
図２は、本発明に従って、例えば、ＣＤ−ＲＷ、ＤＶＤ−ＲＷ又はＢＤ等の記録媒体１１にディジタル情報信号を記録するための記録装置を示している。その装置は記録媒体におけるトラックをスキャンするための書き込み手段を備え、その書き込み手段は、記録媒体１１を回転させるための駆動ユニット２１と、ヘッド２２と、トラックの半径方向にヘッド２２を粗く位置決めするための位置決めユニット２５とを有する。ヘッド２２は、記録媒体の情報層のトラックにおける放射スポット２３にフォーカシングされる光学素子により案内される放射ビーム２４を生成するための既知の種類の光学システムを有する。放射ビーム２４は、放射線源であって、例えば、レーザダイオードにより生成される。ヘッドは、（図示してはいないが、）前記ビームの光軸に沿って放射ビーム２４の焦点を移動させるためのフォーカシングアクチュエータと、トラックの中心の半径方向におけるスポット２３の微調整のためのトラッキングアクチュエータとを更に有する。トラッキングアクチュエータは、光学素子を半径方向に移動させるためのコイルを有することが可能であり、代替として、反射素子の角度を変えるために備えられることが可能である。ディジタル情報信号（データ）を書き込むために、放射線は記録層における光学的に検出可能なマークを生成するように制御される。それらのマークは、何れの光学的に読み出し可能フォームであって、例えば、色素、合金又は相変化材料のような材料に記録するときに得られる、周囲と異なる反射係数を有する領域のフォーム、又は、磁気光学材料に記録するときに得られる、周囲と異なる磁化方向を有する領域のフォームにあることが可能である。読み出しに対して、情報層により反射された放射線は、読み出し信号と、前記トラッキング及びフォーカシングアクチュエータを制御するためのトラッキングエラー及びフォーカシングエラー信号を有する更なる検出器信号とを生成するためのヘッド２２における、通常タイプの検出器であって、例えば、四象限ダイオードにより検出される。読み出し信号は、ディジタル情報信号（データ）を検索するために、復調器、デフォーマッタ及び出力ユニットを有する通常タイプの読み出し処理ユニット３０により処理される。それ故、情報を読み出すための検索手段は、駆動ユニット２１と、ヘッド２２と、位置決めユニット２５と、読み出し処理ユニット３０とを有する。その装置は、入力ユニット２７を有するヘッド２２を駆動するための書き込み信号を生成するための入力ディジタル情報信号（データ）を処理する書き込み処理手段と、フォーマッタ２８及び変調器２９を有する変調器手段と、を有する。入力ディジタル情報信号（データ）は、例えば、リアルタイムビデオ及び／又は音声データ又は静止画像データを有することが可能である。入力ユニット２７は、例えば、エラー補正コード（ＥＣＣ）を付加すること及び／又はインターリーブすることにより、制御データを付加し且つそのデータをフォーマットするためにフォーマッタ２８に渡される情報の単位に入力データを処理する。情報のコンピュータアプリケーションユニットはフォーマッタ２８に直接接続されることが可能であり、そのような場合、オプションとして、入力ユニット２７は装置内に存在する必要はない。フォーマッタ２８の出力からフォーマットされたデータは変調ユニット２９に渡され、その変調ユニットは、例えば、変調信号を生成するためにチャネル符号器を有し、その変調信号はヘッド２２を駆動する。更に、変調ユニット２９は、変調信号に同期パターンを有するように同期手段を有する。変調ユニット２９の入力に渡されるフォーマットされた単位はアドレス情報を有し、制御ユニット２０の制御下で記録媒体において対応するアドレス可能位置に書き込まれる。更に、装置は制御ユニット２０を有し、その制御ユニットは情報の記録及び検索を制御し、ユーザ又はホストコンピュータからのコマンドを受信するように備えられることが可能である。制御ユニット２０は、制御ライン２６であって、例えば、システムバスを介して、前記入力ユニット２７、フォーマッタ２８及び変調器２９に、読み出し処理ユニット３０に、駆動ユニット２１に及び位置決めユニット２５に接続される。制御ユニット２０は、下で説明するように、本発明に従った機能及び手順を実行するための制御回路構成であって、例えば、マイクロプロセッサ、プログラムメモリ及び制御ゲートを有する。制御ユニット２０は又、論理回路におけるステートマシンとして実施されることが可能である。
【００２８】
制御ユニット２０は、例えば、ＤＶＤ＋ＲＷディスクのような書き換え可能媒体の初期化、フォーマット及び欠陥管理を実行することができる。そのようなディスクの簡単なレイアウトの例を図３ｂに示す。そのレイアウトは、リードイン領域ＬＩと、リードアウト領域ＬＯと、一般アプリケーション領域ＧＡＡと、予備領域ＳＡ（この例においては、２つの副領域ＳＡ１及びＳＡ２を有する）と、ユーザ領域ＵＡと、テーブル領域ＭＴＡ及びＳＴＡとを有する。ＬＩ及びＬＯは、媒体読み出し／書き込み規定及び管理データを主に有する。ユーザ領域ＵＡは、記録媒体に記憶されたコンテンツに関連するデータ及び実際の使用のために用いられるデータであって、例えば、第１ファイルシステムのルールに従ってユーザデータを示すファイルエントリ及びディレクトリを有する第１ファイルシステムデータ及びユーザデータの記録のために、主に用いられる。一般アプリケーション領域ＧＡＡは、例えば、欠陥を処理することができる装置ドライバ又はアプリケーションプログラム若しくは付加ファイルシステムのシステムデータ等の欠陥管理による置き換えを可能にしないデータの記憶のために用いられることができる。欠陥管理は、主テーブル領域ＭＡＴに記憶された主欠陥テーブルＭＤＴと、二次テーブル領域ＳＴＡに記憶された二次欠陥テーブルＳＤＴと、予備領域ＳＡ１、ＳＡ２に有する置き換え領域（パケット）に基づいている。二次欠陥テーブルは主欠陥テーブルの複製であり、ＳＤＴはＭＤＴと同じ情報を有する。ＭＴＡを伴う事項の場合、欠陥管理再配分（非ＭＲＷ駆動により解釈できない）を補償して、アドレス空間を論理的に構築するためにアドレスリマッパのために非ＭＲＷ  ＰＣシステムがそれらのテーブルを用いることができることを確実にするために、ＳＴＡは冗長度として用いられる。主テーブル領域ＭＴＡはリードイン領域ＬＩ内に局所化される。図３ｂに示している種類のレイアウトを有する記録媒体は、図３ａに示す例におけるようなレイアウトを有する“非ＭＲＷ”媒体と対照的に、一般に、Ｍｏｕｎｔ  Ｒａｉｎｉｅｒ  ＲｅＷｒｉｔａｂｌｅ（ＭＲＷ）媒体、例えば、ＣＤ−ＭＲＷ又はＤＶＤ＋ＭＲＷと呼ばれている。ＤＶＤ＋ＭＲＷ記録媒体の場合、ＧＡＡ、ＳＡ１及びＳＡ２はそれぞれ、２、８及び１２０Ｍバイトのサイズを有する。
【００２９】
ＭＲＷの定義に基づいて、ＰＣに再マッピングドライバを組み込むことにより、ＭＲＷ媒体は非ＭＲＷ対応ドライブにより読み出されることができることを確実にすることが可能である。この再マッピングドライバは、ＧＡＡにおけるファイルシステムが、インターネットからダウンロードする又はそのドライバからインストールすることができるアプリケーションをリリースすることができるように、とりわけ、ＧＡＡを用いて、容易に得られることができる。ＣＥ装置を認識する非ＭＲＷを用いる収束に対して、同じ又は異なるファイルシステム（典型的には、ＩＳＯ９９６０又はＵＤＦ）が、ＣＥ装置により典型的に認識されるコンテンツのアドレス指定を可能にするために用いられることができる。これは、ＣＥ装置により認識されている、ＧＡＡに記憶されているファイルシステムデータ（以下では又、第２ファイルシステムデータと呼ばれる）を用いて、ＭＲＷ媒体のＵＡに記憶されたマルチメディアコンテンツを示すことによりなされる。再マッピングドライバに関連するタスクを実行するようになっている、ＧＡＡにおける付加的ファイルシステムが存在する。
【００３０】
欠陥テーブルは、欠陥管理を実行するために用いられることができる情報を有する。特に、欠陥テーブルは、欠陥管理のルールに従って、媒体の使用中又は確認中に欠陥であると判定された欠陥領域（パケット）のリストを有する。更に、欠陥テーブルは、欠陥領域の置き換えとして用いられるようにされた置き換え領域（パケット）のリストを有する。欠陥領域及び置き換え領域は、媒体におけるそれらのアドレスにより検索される。欠陥テーブルにおける異なるフラグ又はステータスビットは、それらの領域の特徴、例えば、データ記録に対する使用可能性を示す。欠陥テーブルは又、媒体における領域に関連する情報を有し、そこにおいてはＧＡＡのサイズ及び場所のような欠陥管理はアクティブでは内。
【００３１】
制御ユニット２０は、欠陥管理下でデータ記録以外のためにそれを使用するように、欠陥テーブルにおいて使用できない媒体の一部にマーキングするように適合されている。特に、制御ユニット２０は、このような媒体の一部に第２ファイルシステムデータを記録するように適合されている。それらのデータは、ユーザデータにアクセスするために“非ＭＲＷ”装置又はシステム（一般に、組み込まれた欠陥管理機能と異なる又はそれを用いない）により用いられることができる。少なくとも第２ファイルシステム（アンカーのような）の基本構造は、常に、ＭＲＷ知識を用いない何れの装置又はＣＥ装置に第２ファイルシステムが備えられることが可能であるように、標準的ＧＡＡ内にある必要がある。
【００３２】
実施形態においては、欠陥テーブルにおいて使用できるマーキングされた媒体の一部がＧＡＡに対して割り当てられ、この割り当てに関連する情報は、媒体、例えば、欠陥テーブルにおいて記録される。これはＧＡＡのサイズを効果的に増加させることができる。
【００３３】
ＣＥブリッジ使用能力を有するＭＲＷ媒体において、ユーザファイルは、それらのファイルに関するファイルシステム情報（データ）と共にＵＡに記録される。これは、標準的ＭＲＷ媒体において起こるものと全く同じである。
【００３４】
ＵＡに存在するユーザファイルの“ＣＥ適合”ビューを与えるために、拡大されたＧＡＡを用いることができる。これは、ＣＥの要求に従って、ＵＡにおけるデータファイルへのリンクを有するファイルシステム構造（第２ファイルシステムデータ）が拡大されたＧＡＡにおいて生成されることを意味する。例えば、ＵＡにＤＶＤ構造化データが存在する場合、ＤＶＤ（＋ＶＲ）規格に従ったファイルシステム構造が生成される。このファイル構造に基づいて、この“ＣＥ使用可能媒体のためのＭＲＷ”は全ての（ＣＥ）ＤＶＤプレーヤにおいて使用される。ＣＥ装置の対象である他のデータ（例えば、マルチメディアファイル又はメタデータファイル等）は又、ＧＡＡにおけるファイルシステム構造の状態にあることが可能である。種々のマルチメディアファイルに対する所定のディレクトリレイアウトは、このようなファイルシステム構造において規定されることができる。例えば、ＵＡにおける全てのＭＰ３ファイルは、ＵＡ内部に置かれたディレクトリに依存しないで、ＣＥ装置の観点からＭＰ３と呼ばれる単一のディレクトリにおいて生成されることができる。類似して、全てのＪＰＥＧファイルは、ＪＰＥＧ又はＰＨＯＴＯＳと呼ばれるディレクトリ内に置かれることができる。勿論、例えば、それらのファイルのオリジナルの位置又は生成された日付に基づいて、それらのディレクトリにおいて更なるディレクトリ構造を有することが更に可能である。この方法の有利点は、それらの対象である全てのファイルを見つけるために大量のディレクトリツリーによりＣＥ装置は検索する必要がないことである。ＣＥの観点から全ての対象のファイルが、媒体に存在するファイルの種類に基づいて、１つのディレクトリ（例えば、ＭＵＬＴＩＭＥＤＩＡ）に又は限定された数ンおディレクトリのみに現れることが可能である。
【００３５】
ＵＡにおけるファイル数は非常に多い及び関連するファイルシステムは比較的複雑であることが可能である。この場合、ＭＰＶのような解決方法に基づく、特定の再生リスト及びメタデータが、ＵＡにおけるコンテンツの容易なアクセス、再生及び記憶のために用いられることが可能である。そのような解決方法は、上記のような自動リリースアプリケーションを用いることによりＰＣ環境下でデータの完全な状態を回復するために媒体において記憶されているＭＰＶ情報を用いることができるため、ＭＰＶ情報を処理することができるＣＥ装置を認識する非ＭＲＷに対する、しかし、ここでは、ＵＡ及び／又はＧＡＡに記憶されている、媒体におけるＭＰＶアプリケーションに対する、“書き込み”機能を可能にすることが可能である。
【００３６】
実施形態においては、制御ユニット２０は、第２ファイルシステムデータを記録するために及び欠陥テーブルにおいて使用できない、予備領域ＳＡの少なくとも一部を示すように適合されている。
【００３７】
先ず、ＳＡ１（ＳＡ２）の空間は、ＭＤＴからの情報に基づいて、自由領域にＳＡ１（ＳＡ２）内のコンテンツを移動させることにより使える状態にされる。これは、例えば、装置の背景作用によりなされることが可能であり、又は、下記のように“通常の”ＭＲＷレイアウトから特定のレイアウトに変換することができる特定のフォーマットコマンドの結果であることが可能である。使える状態にされたＳＡ位置は欠陥テーブルにおいては使用できないとしてマーキングされる。その結果、それらの位置はＭＲＷシステムにおいてオーバーライトされない。それらの位置は、ＧＡＡ読み出し／書き込みアドレシングシステムが拡張アドレスルールを用いることにより新しいＧＡＡレイアウトにおいてアクティブに読み出し／書き込みすることを可能にすることにより、ＧＡＡ空間に付加される。収束ファイルシステム（第２ファイルシステム）が、ＵＡにおけるコンテンツの後に、特定のファイルを必要とする場合、それらのファイルはＧＡＡ空間に付加されたＳＡ２位置に記録されることができる。
【００３８】
装置の実施形態の制御ユニット２０により実行される特定の方法について、図４に示している。
【００３９】
段階１０１において、ＭＤＴは、ユーザデータを有する置き換え領域の置き換え領域アドレスについて検索され、次いで、段階１０２において、そのアドレスに従って媒体に位置付けられる。類似して、段階１０３及び１０４において、ユーザデータを有しない自由置き換え領域、即ち、置き換え領域は、そのアドレスに従って検索され且つ位置付けられる。置き換え領域からユーザデータを読み出し（段階１０５）、自由置き換え領域においてこのデータを際記録した（段階１０６）後、置き換え領域はＭＤＴにおいて使用できないとしてマーキングされる。
【００４０】
ＧＡＡに対して全てのＳＡＩ空間を割り当てることにより、第２ファイルシステムデータを記憶するために付加８Ｍバイトが与えられル。これは、ＵＤＦの場合における第２ファイルシステムとしての約４０００の付加ファイル／ディレクトリのエントリを意味する。必要に応じて、この目的のためにＳＡ２空間の１２０Ｍバイト全ての一部又は全部を用いることができる。
【００４１】
代替として又はＳＡからの空間への付加において、ＵＡの一部が又、ＧＡＡのために割り当てられ且つ第２ファイルシステムデータを記録するために用いられることができる。
【００４２】
これは、ＵＡにおいてファイルシステムに対して利用可能であるユーザ領域を変化させることにより（使用できないファイルシステム空間の一部を作ること又はファイルシステム割り当て空間以外の部分を得ることにより）達成される。次いで、使える状態にされる空間が、例えば、使える状態にされたアドレスの空間テーブルにより、ＧＡＡ空間に付加されることができる。
【００４３】
装置の他の実施形態においては、制御ユニット２０は、欠陥テーブルにおいて使用できないとしてユーザ領域ＵＡの一部を示すように及び欠陥テーブルに第２ファイルシステムデータを記録するように適合されている。
【００４４】
ＧＡＡをＵＡに拡張することは、上記のような、ＧＡＡをＳＡに拡張することと殆ど同じ方法でなされるが、ここでは、ＳＡにおける（例えば、ＳＡ１がＧＡＡに対して割り当てられている場合、ＳＡ２における）自由位置にＵＡの開始のコンテンツを複写し、ＭＤＴ（及びＳＤＴ）において関連欠陥テーブルエントリを生成し、欠陥テーブルにおいて使用できないとしてオリジナルのＵＡ位置をマーキングすることによりなされる。これは、それらの使える状態にされた位置にＧＡＡを拡張することを可能にし、この方法においては、例えば、１００Ｍバイトの空間がＧＡＡに容易に付加されることができ、それ故、ＣＥ収束のために用いられる（第２）ファイルシステムデータのサイズに対する殆ど全ての使用限界を壊すことができる。
【００４５】
実施形態においては、制御ユニット２０は、図５に示すような方法を実行するように、それ故、ユーザデータを用いないで自由置き換え領域の自由置き換え領域アドレスについてのＭＤＴを検索し（段階２０１）、自由置き換え領域アドレスに従って自由置き換え領域を局所化し（段階２０２）、ユーザ領域（ＵＡ）の一部から記録されたユーザデータを読み出し（段階２０３）、自由置き換え領域においてユーザ領域ＵＡの一部から読み出されたユーザデータを記録し（段階２０４）そしてＭＤＴにおいて使用できないとしてユーザ領域ＵＡの一部にマーキングする（段階２０５）ように適合されている。
【００４６】
実施形態においては、制御ユニット２０は、第１ファイルシステム割り当て空間以外のＵＡの一部を選択し、ＧＡＡ空間にそれを付加するように適合されている。これは、第１ファイルシステムの制御下でこのＵＡの一部にユーザデータを記憶することができないことを意味する。この一部は、欠陥テーブルに有する、使用できるようになったアドレスの空間リストによりＧＡＡに付加されることができる。
【００４７】
１つの記憶媒体に異なるファイルシステムのデータ構造を記憶することにより、制御ユニット２０は、媒体であって、異なる環境、例えば、ＣＥ環境及びＰＣ環境間の所謂“ブリッジ媒体”を共有することを容易にする。制御ユニット２０は、所謂、“ブリッジアプリケーション”として機能する。１つのファイルシステムのデータ構造に有するファイル及びディレクトリエントリは、他のシステムに属す他のデータ構造と等化である状態でミラーリングされる。ブリッジ媒体におけるデータ付加（修正）後、ファイルシステムデータはブリッジアプリケーションにより同期される必要がある。“認識可能”環境、即ち、２つのファイルシステムデータが同期されたまま保たれることを確実にすることができる環境において、又は、“認識不可能”環境（２つのファイルシステムデータが同期されたまま保たれることがない）において媒体が使用されるかどうかに依存して、媒体は、正確な又は不正確なＣＥブリッジ情報をそれぞれ、有することが可能である。それ故、ＣＥブリッジをすることができる特定の収束アプリケーションの特定の動作が実行される必要がある。これは、媒体がＧＡＡに記憶されている正確なＣＥブリッジを有するこの環境を常に離れることを確実にするために、“認識可能”環境の機能の一部であることが可能である。
【００４８】
実施形態においては、制御ユニット２０は、ＣＥブリッジをすることができる、即ち、２つのファイルシステムデータ間の同期を行うことができる。この処理中、ファイルシステムデータにおける変化に関する情報が収集され、次いで、全ての又は一部の選択されたファイル／ディレクトリが、ファイルの種類、ファイルシステムの特徴又は他の条件の所定の集合を用いてミラーリングされる。
【００４９】
実施形態においては、制御ユニット２０は、媒体のファイルシステムデータにおける変化に関連する情報を記録するように適合されている。
【００５０】
両方のファイルシステムが同期されているかどうかを検出する目的で、それらのファイルシステム（ファイルシステムデータ）の構造が読み出され、比較される。この処理を簡略化するために、シーケンス数、データフィールド又はファイルシステムの変化に関連する他の関連状態を用いることが可能である。シーケンス数は、ファイルシステムデータが変化する度に変化する。データフィールドは、ファイルシステムデータの生成又は修正に関連する時間情報を有する。
【００５１】
有利な実施形態においては、制御ユニット２０は、ファイルシステムの変化に関連する状態情報に依存してコンテンツを修正することによりファイルシステムデータを同期するように適合されている。例えば、２つのファイルシステムシーケンス数が変化した場合、制御ユニット２０は、媒体に記憶されているデータに基づいて同期を回復させる。
【００５２】
更に、他の実施形態においては、制御ユニット２０は、ＧＡＡ空間の空間ファイル又は予約領域の媒体において、シーケンス数のようなファイルシステムの変化に関連する情報を記録する。媒体が装置に設置された後、必要に応じて、同期を実行するために制御ユニット２０によりこの情報を読み出し且つ用いることができる。
【００５３】
媒体の使用中に検出された欠陥の場合には、欠陥管理を採用しているシステムは欠陥領域の代わりに置き換え領域にユーザデータを記録する。欠陥テーブルシーケンス数を、それらの変化を反映するために用いることができる。欠陥デーブルが修正される度に、欠陥テーブルシーケンス数は又、変化される。
【００５４】
実施形態においては、制御ユニット２０は、欠陥テーブルＭＤＴの変化に関連する情報を補正するように、及び、ＧＡＡにおけるファイルシステムデータ（第２ファイルシステムデータ）を修正するように、それ故、それらのデータがＭＤＴに対してなされた変化を反映するように、適合されている。欠陥テーブルのシーケンス数が変化した場合、制御ユニット２０は、ＣＥブリッジファイルシステムと、欠陥管理動作の結果としてコンテンツが記憶されている媒体における実際の位置との間の正確な関係を回復させるための動作を取ることができる。
【００５５】
又、ファイルシステムデータの変化の場合のように、他の実施形態においては、制御ユニット２０は、ＧＡＡ空間における特定のファイル又は予約領域における媒体の、シーケンス数のような欠陥テーブルの変化に関連する情報を記録する、媒体が装置に設置された後、この情報は、必要に応じて、同期を実行するために制御ユニット２０によりこの情報を読み出し且つ用いることができる。
【００５６】
第２ファイルシステムは、ＵＡ、ＳＡ又はＳＴＡにおいて何ら偶然のオーバーライトが生じないことを確実にするように、ブリッジ媒体がＣＥ装置又は他の非ＭＲＷ装置に対して“読み出し専用”として存在することを確実にするように選択されることができる。そのような媒体がＣＥシステムから取り除かれ、“ＭＲＷ適合”ＰＣ装置内に置かれたとき、その媒体は、通常のＭＲＷ媒体として尚も備えられ、例えば、“ドラッグアンドドロップ”操作による更なる記録がなされる。
【００５７】
ＧＡＡにおいて収束ファイルシステム情報を生成／更新する間に、一部の付加ファイルシステムレベル情報が、ＵＡにおけるコンテンツの変化の場合にｈｔｍｌスクリーン又は収束（ブリッジ）アプリケーションのリリースを可能にするＵＡに付加されることができる。このようにして、両方のファイルシステムデータ（ＵＡ及びＧＡＡにおける）を再同期するための必要性をユーザが認識していることが確実にされている。
【００５８】
同じ解決方法が、ＭＲＷ適合ＣＥ装置の場合に適用可能であり、それはＵＡにおけるコンテンツを修正した故に、両方のファイルシステムデータを更新することができる。
【００５９】
実施形態においては、記録装置は、個別のホストシステムに接続されるドライブユニットであって、例えば、ＰＣにおいて構築されるドライブユニットとして備えられている。制御ユニット２０は、標準化されたインターフェースによりホストシステムにおいて処理ユニットと通信するように備えられている。
【００６０】
ホストシステム及び記録装置を有するコンピュータデータシステムの実施形態においては、ホストシステムにおける処理ユニットは、上記の記録装置の実施形態に関連して説明した方法及び機能を実行する制御ユニット２０を制御するように適合されている。
【００６１】
本発明に従ったコンピュータプログラムプロダクトは、制御ユニット２０又は処理ユニットが上記の記録装置の実施形態に関連して説明した方法及び機能を実行できるように動作可能である。
【００６２】
本発明については好適な実施形態に関連して説明したが、それらは限定的な実施形態でないことが理解される必要がある。それ故、同時提出の特許請求の範囲により規定されるような、本発明の範囲から逸脱することなく、種々の修正が可能であることを当業者は理解することができるであろう。更に、本発明は、上記の各々の及び全ての新規な特徴又は特徴の組み合わせにより構成される。又、記憶媒体に対しては、光ディスクについて記載したが、例えば、光磁気ディスク又は磁気テープのような他の媒体を用いることができる。本発明については、コンピュータプログラムを実行する汎用プロセッサ、専用ハードウェア、又はそれらの組み合わせにより実行することが可能であり、本特許明細書においては、用語“を有する”は列挙された要素又は段階以外の要素又は段階を排除するものではなく、要素の単数表現はそれらの要素の複数の存在を排除するものではなく、用語“手段”は単一のアイテム又は複数のアイテムにより表されることが可能であり、幾つかの“手段”はハードウェアの同じアイテムにより表されることが可能である。
【図面の簡単な説明】
【００６３】
【図１ａ】記録担体を示す（平面）図である。
【図１ｂ】記録担体を示す（断面）図である。
【図２】本発明に従った、記録装置を示す図である。
【図３ａ】非ＭＲＷタイプの媒体の簡略化したレイアウトを示す図である。
【図３ｂ】ＭＲＷタイプの媒体の簡略化したレイアウトを示す図である。
【図４】本発明に従った、記録媒体における予備領域にＧＡＡを拡張する方法の実施例を示す図である。
【図５】本発明に従った、記録媒体におけるユーザ領域にＧＡＡを拡張する方法の実施例を示す図である。
2007528090.tif 000003
【図２】
2007528090.tif 000004
2007528090.tif 000005
【図４】
2007528090.tif 000006
【図５】
2007528090.tif 000007
【手続補正書】
【提出日】平成18年1月30日(2006.1.30)
【手続補正１】
【補正対象書類名】特許請求の範囲
【補正対象項目名】全文
【補正方法】変更
【補正の内容】
【特許請求の範囲】
【請求項１】
記録媒体のような取り外し可能な書き換え可能ディスクにディジタル情報信号を記録するための記録装置であって、前記記録媒体は：
前記ディジタル情報信号により表されるユーザデータを記録するため及び第１ファイルシステムのルールに従って前記ユーザデータを示すファイルエントリとディレクトリとを有する第１ファイルシステムデータを記録するためのユーザ領域；
欠陥管理のための置き換え領域を有する前記ユーザ領域の外側の予備領域；
前記ユーザ領域における前記置き換え領域と欠陥領域のアドレスのリストを有する欠陥テーブルを記録するための前記ユーザ領域の外側のテーブル領域；並びに
第２ファイルシステムのルールに従って前記ユーザデータを示すファイルエントリとディレクトリとを有する第２ファイルシステムデータを記録するための前記予備領域の外側及び前記ユーザ領域の外側の一般アプリケーション領域；
を有する記録装置であり、
前記ディジタル情報信号を受信するための入力手段；
前記記録媒体に前記ディジタル情報信号を記録するための記録手段；
前記記録媒体に記録されたディジタル情報信号を読み出すための読み出し手段；
前記の読み出されたディジタル情報信号を出力するための出力手段；並びに
前記ディジタル情報信号の記録を制御するための制御手段；
を有する記録装置であり、
前記制御手段は、前記欠陥テーブルにおいて使用できないとして前記記録媒体の一部をマーキングするように及び使用できないとしてマーキングされた前記記録媒体の一部に前記第２ファイルシステムデータの一部を記録するように適合されている；
ことを特徴とする記録装置。
【請求項２】
請求項１に記載の記録装置であって、前記制御手段は、前記欠陥テーブルにおいて使用できないとして前記予備領域の少なくとも一部をマーキングし、そして使用できないとしてマーキングされた前記予備領域の前記の少なくとも一部に前記第２ファイルシステムデータの前記一部を記録するように適合されている、ことを特徴とする記録装置。
【請求項３】
請求項２に記載の記録装置であって、前記制御手段は、記録されたユーザデータを有する置き換え領域の置き換え領域アドレスについて前記欠陥テーブルを検索し、前記置き換え領域アドレスに従って前記置き換え領域を局所化し、前記ユーザデータなしで自由置き換え領域の自由置き換え領域アドレスについて前記欠陥テーブルを検索し、前記自由置き換え領域アドレスに従って前記自由置き換え領域を局所化し、前記置き換え領域からの前記の記録されたユーザデータを読み出し、前記自由置き換え領域において前記置き換え領域から読み出された前記ユーザデータを記録し、そして前記欠陥テーブルにおいて使用できないとして前記置き換え領域をマーキングするように適合されている、ことを特徴とする記録装置。
【請求項４】
請求項１に記載の記録装置であって、前記制御手段は、前記欠陥テーブルにおいて使用できないとして前記ユーザ領域の一部をマーキングし、そして使用できないとしてマーキングされた前記ユーザ領域の一部において前記第２ファイルシステムデータの前記一部を記録するように適合されている、ことを特徴とする記録装置。
【請求項５】
請求項４に記載の記録装置であって、前記制御手段は、前記ユーザデータなしで自由置き換え領域のジ湯置き換え領域アドレスについて前記欠陥テーブルを検索し、前記自由置き換え領域アドレスに従って前記自由置き換え領域を局所化し、前記ユーザ領域の前記一部から記録されたユーザデータを読み出し、前記自由置き換え領域において前記ユーザ領域の前記一部から読み出された前記ユーザデータを記録し、そして前記欠陥テーブルにおいて使用できないとして前記ユーザ領域の前記一部をマーキングするように適合されている、ことを特徴とする記録装置。
【請求項６】
請求項１に記載の記録装置であって、前記制御手段は、前記第１ファイルシステムデータ又は前記第２ファイルシステムデータの変化に関連する変化情報を収集し、そして前記変化情報に依存して前記第１ファイルシステムデータ又は前記第２ファイルシステムデータを修正するように適合されている、ことを特徴とする記録装置。
【請求項７】
請求項６に記載の装置であって、前記制御手段は、前記記録媒体において前記変化情報を記録するように適合されている、ことを特徴とする記録装置。
【請求項８】
請求項１に記載の装置であって、前記制御手段は、前記欠陥テーブルの変化に関連する状態情報を収集し、そして前記状態情報に依存して前記第２ファイルシステムデータを修正するように適合されている、ことを特徴とする記録装置。
【請求項９】
請求項８に記載の装置であって、前記制御手段は、前記記録媒体に前記状態情報を記録するように適合されている、ことを特徴とする記録装置。
【請求項１０】
記録媒体のような取り外し可能な書き換え可能ディスクにディジタル情報信号を記録する方法であって、前記記録媒体は：
前記ディジタル情報信号により表されるユーザデータを記録するため及び第１ファイルシステムのルールに従って前記ユーザデータを示すファイルエントリとディレクトリとを有する第１ファイルシステムデータを記録するためのユーザ領域；
欠陥管理のための置き換え領域を有する前記ユーザ領域の外側の予備領域；
前記ユーザ領域における前記置き換え領域と欠陥領域のアドレスのリストを有する欠陥テーブルを記録するための前記ユーザ領域の外側のテーブル領域；並びに
第２ファイルシステムのルールに従って前記ユーザデータを示すファイルエントリとディレクトリとを有する第２ファイルシステムデータを記録するための前記予備領域の外側及び前記ユーザ領域の外側の一般アプリケーション領域；
を有する、方法であり、
前記欠陥テーブルにおいて使用できないとして前記媒体の一部をマーキングし；
使用できないとしてマーキングされた前記記録媒体の前記一部に前記第２ファイルシステムデータの一部を記録する；
ことを特徴とする方法。
【請求項１１】
請求項１０に記載の方法であって、前記記録媒体の前記一部は前記予備領域の少なくとも一部を有する、ことを特徴とする方法。
【請求項１２】
請求項１１に記載の方法であって：
記録されたユーザデータを有する置き換え領域の置き換え領域アドレスについて前記欠陥テーブルを検索する段階；
前記置き換え領域アドレスに従って前記置き換え領域を局所化する段階；
前記ユーザデータなしで自由置き換え領域の自由置き換え領域アドレスについて前記欠陥テーブルを検索する段階；
前記自由置き換え領域アドレスに従って前記自由置き換え領域を局所化する段階；
前記置き換え領域からの前記の記録されたユーザデータを読み出す段階；
前記自由置き換え領域において前記置き換え領域から読み出された前記ユーザデータを記録する段階；及び
前記欠陥テーブルにおいて使用できないとして前記置き換え領域をマーキングする段階；
を有する、ことを特徴とする方法。
【請求項１３】
請求項１０に記載の方法であって、前記記録媒体の前記一部は前記ユーザ領域の一部を有する、ことを特徴とする方法。
【請求項１４】
請求項１３に記載の方法であって：
前記ユーザデータなしで自由置き換え領域の自由置き換え領域アドレスについて前記欠陥テーブルを検索する段階；
前記置き換え領域アドレスに従って前記自由置き換え領域を局所化する段階；
前記ユーザ領域の前記一部から記録されたユーザデータを読み出す段階；
前記自由置き換え領域において前記ユーザ領域の前記一部から読み出された前記ユーザデータを記録する段階；及び
前記欠陥テーブルにおいて使用できないとして前記ユーザ領域の前記一部をマーキングする段階；
を有する、ことを特徴とする方法。
【請求項１５】
請求項１０に記載の方法であって：
前記第１ファイルシステムデータ又は前記第２ファイルシステムデータの変化に関連する変化情報を収集し；及び
前記変化情報に依存して前記第１ファイルシステムデータ又は前記第２ファイルシステムデータを修正する；
ことを特徴とする方法。
【請求項１６】
請求項１５に記載の方法であって、前記記録媒体に前記変化情報を記録する、ことを特徴とする方法。
【請求項１７】
請求項１０に記載の方法であって：
前記欠陥テーブルの変化に関連する状態情報を収集し；及び
前記状態情報に依存して前記第２ファイルシステムデータを修正する；
ことを特徴とする方法。
【請求項１８】
請求項１７に記載の方法であって、前記記録媒体に前記状態情報を記録する、ことを特徴とする方法。
【請求項１９】
記録媒体のような取り外し可能な書き換え可能ディスクにディジタル情報信号を記録するための記録装置に接続されたコンピュータを有するコンピュータデータシステムであって、前記記録媒体は：
前記ディジタル情報信号により表されるユーザデータを記録するため及び第１ファイルシステムのルールに従って前記ユーザデータを示すファイルエントリとディレクトリとを有する第１ファイルシステムデータを記録するためのユーザ領域；
欠陥管理のための置き換え領域を有する前記ユーザ領域の外側の予備領域；
前記ユーザ領域における前記置き換え領域と欠陥領域のアドレスのリストを有する欠陥テーブルを記録するための前記ユーザ領域の外側のテーブル領域；並びに
第２ファイルシステムのルールに従って前記ユーザデータを示すファイルエントリとディレクトリとを有する第２ファイルシステムデータを記録するための前記予備領域の外側及び前記ユーザ領域の外側の一般アプリケーション領域；
を有する、コンピュータデータシステムであり、前記記録装置は：
前記ディジタル情報信号を受信するために前記コンピュータに接続された入力手段；
前記記録媒体に前記ディジタル情報信号を記録するための記録手段；
前記記録媒体に記録されたディジタル情報信号を読み出すための読み出し手段；
前記コンピュータに前記の読み出されたディジタル情報信号を出力するための出力手段；並びに
前記ディジタル情報信号の記録を制御するための制御手段；
を有する、コンピュータデータシステムであり、
前記コンピュータは、請求項１０乃至１８の何れ一項に従った方法を実行するために前記記録装置の前記制御手段を制御するように適合されている；
ことを特徴とするコンピュータデータシステム。
【請求項２０】
記録媒体のような取り外し可能な書き換え可能ディスクにディジタル情報信号を記録するためのコンピュータプログラムであって、該コンピュータプログラムは、処理器が請求項１０乃至１８の何れ一項に従った方法を実行するようにするように動作可能である、ことを特徴とするコンピュータプログラム。
【国際調査報告】
2007528090.tif 000008
2007528090.tif 000009
2007528090.tif 000010